【手続補正書】
【提出日】平成17年8月25日(2005.8.25)
【手続補正１】
【補正対象書類名】明細書
【補正対象項目名】発明の名称
【補正方法】変更
【補正の内容】
【発明の名称】焦点検出装置、及び該焦点検出装置におけるレンズ位置の制御方法
【手続補正２】
【補正対象書類名】明細書
【補正対象項目名】特許請求の範囲
【補正方法】変更
【補正の内容】
【特許請求の範囲】
【請求項１】 変倍を行う第１のレンズの駆動位置を予測する予測手段と、
前記第１のレンズの移動に伴う像面の位置ずれを補正する第２のレンズの所定駆動範囲内及び該所定駆動範囲外にわたる合焦軌跡データに基づいて、前記予測手段により予測された第１のレンズの位置に対応する前記第２のレンズの位置を算出する算出手段と、
前記算出の結果に基づいて、前記第２のレンズの駆動を制御する制御手段とを有することを特徴とする焦点検出装置。
【請求項２】 前記合焦軌跡データは複数あり、最至近の被写体距離に関する合焦軌跡データは、前記第１のレンズの移動領域の中の一部の移動領域に対応する合焦軌跡データが記憶されていることを特徴とする請求項１記載の焦点検出装置。
【請求項３】 前記第１のレンズ及び前記第２のレンズの位置を検出する検出手段を更に有し、
前記算出手段は、前記検出手段による検出結果と前記合焦軌跡データとに基づいて、前記予測手段により予測された第１のレンズの位置に対応する前記第２のレンズの位置を算出することを特徴とする請求項１又は２記載の焦点検出装置。
【請求項４】 前記第２のレンズの所定駆動範囲外の合焦軌跡データは、前記第２のレンズの駆動限界位置に対応する前記第１のレンズの位置よりも焦点距離の短い位置に前記第１のレンズが位置する場合に、前記予測手段により予測された第１のレンズの位置に対応する前記第２のレンズの位置の算出に用いられることを特徴とする請求項１乃至３のいずれか１項に記載の焦点検出装置。
【請求項５】 前記第１のレンズ及び第２のレンズを含む撮像光学系を透過した光を光電変換して信号を出力する撮像手段と、前記撮像手段から出力された信号を記録手段に記録するように制御する記録制御手段を更に備えたことを特徴とする請求項１乃至４のいずれか１項に記載の焦点検出装置。
【請求項６】 被写体像を変倍する第１のレンズと、該第１のレンズの移動に伴う像面の位置ずれを補正する第２のレンズとを含む撮像光学系を備えた焦点検出装置におけるレンズ位置の制御方法であって、
前記第１のレンズの駆動位置を予測する予測ステップと、
前記第２のレンズの所定駆動範囲内及び該所定駆動範囲外にわたる合焦軌跡データに基づいて、前記予測ステップにより予測された第１のレンズの位置に対応する前記第２のレンズの位置を算出する算出ステップと、
前記算出の結果に基づいて、前記第２のレンズの駆動を制御する制御ステップとを有することを特徴とする制御方法。
【手続補正３】
【補正対象書類名】明細書
【補正対象項目名】０００１
【補正方法】変更
【補正の内容】
【０００１】
【発明の属する技術分野】
本発明は焦点検出装置、及び該焦点検出装置におけるレンズ位置の制御方法に関する。
【手続補正４】
【補正対象書類名】明細書
【補正対象項目名】００１６
【補正方法】変更
【補正の内容】
【００１６】
本発明は、このような事情に鑑みなされたものであって、至近の被写体距離に対しても合焦精度の良好な焦点検出装置、及び該焦点検出装置におけるレンズ位置の制御方法を提供することを目的とする。
【手続補正５】
【補正対象書類名】明細書
【補正対象項目名】００１７
【補正方法】変更
【補正の内容】
【００１７】
【課題を解決するための手段】
上記目的を達成するために、本発明に係る焦点検出装置は、変倍を行う第１のレンズの駆動位置を予測する予測手段と、前記第１のレンズの移動に伴う像面の位置ずれを補正する第２のレンズの所定駆動範囲内及び該所定駆動範囲外にわたる合焦軌跡データに基づいて、前記予測手段により予測された第１のレンズの位置に対応する前記第２のレンズの位置を算出する算出手段と、前記算出の結果に基づいて、前記第２のレンズの駆動を制御する制御手段とを有することを特徴としている。
【手続補正６】
【補正対象書類名】明細書
【補正対象項目名】００１８
【補正方法】変更
【補正の内容】
【００１８】
本発明に係る焦点検出装置におけるレンズ位置の制御方法は、被写体像を変倍する第１のレンズと、該第１のレンズの移動に伴う像面の位置ずれを補正する第２のレンズとを含む撮像光学系を備えた焦点検出装置におけるレンズ位置の制御方法であって、前記第１のレンズの駆動位置を予測する予測ステップと、前記第２のレンズの所定駆動範囲内及び該所定駆動範囲外にわたる合焦軌跡データに基づいて、前記予測ステップにより予測された第１のレンズの位置に対応する前記第２のレンズの位置を算出する算出ステップと、前記算出の結果に基づいて、前記第２のレンズの駆動を制御する制御ステップとを有することを特徴としている。
【手続補正７】
【補正対象書類名】明細書
【補正対象項目名】００２１
【補正方法】変更
【補正の内容】
【００２１】
図１は本発明に係る焦点検出装置を備えた撮像装置の一実施の形態を示すブロック構成図であって、該撮像装置は、インナーフォーカスタイプのレンズシステムとしてのシフト光学系１と、該シフト光学系１の駆動を制御する駆動制御系２と、前記シフト光学系１からの出力信号を処理する信号処理系３と、所定の合焦軌跡データが格納されると共に該合焦軌跡データと信号処理系３からの出力結果とに基づいて前記駆動制御系２を制御するＡＦ（Ａｕｔｏ  Ｆｏｕｃｕｓ）用マイクロコンピュータ（以下、「ＡＦマイコン」という）４と、該ＡＦマイコン４との間で通信を行なうシステムコントロール用マイクロコンピュータ（以下、「シスコン」という）５と、前記駆動制御系３の駆動状態に応じた電圧を出力して可変速ズームを可能とするズームスイッチ６とから構成されている。
【手続補正８】
【補正対象書類名】明細書
【補正対象項目名】００４５
【補正方法】変更
【補正の内容】
【００４５】
【発明の効果】
以上詳述したように、本発明によれば、至近の被写体距離に対しても合焦精度の良好なレンズ制御を行なうことができる。
【手続補正９】
【補正対象書類名】明細書
【補正対象項目名】００４６
【補正方法】削除
【補正の内容】
【手続補正１０】
【補正対象書類名】明細書
【補正対象項目名】図面の簡単な説明
【補正方法】変更
【補正の内容】
【図面の簡単な説明】
【図１】
本発明に係る焦点検出装置を備えた撮像装置の一実施の形態を示すブロック構成図である。
【図２】
本発明に係るレンズ位置の制御方法を示すフローチャートである。
【図３】
ＡＦマイコンに格納される合焦軌跡データと、所定ズーム位置に対するフォーカス位置の算出方法を説明するための図である。
【図４】
ＡＦマイコンに格納される合焦軌跡データの他の実施の形態を示すマップである。
【図５】
他の実施の形態における所定ズーム位置に対するフォーカス位置の算出方法を説明するための図である。
【図６】
従来の撮像装置の要部を模式的に示した要部構成図である。
【図７】
ズームレンズのレンズ位置に対するフォーカスレンズのレンズ位置の位置関係を示した合焦軌跡曲線である。
【図８】
従来技術の課題を説明するための説明図である。
【符号の説明】
２    駆動制御系
４    ＡＦマイコン
８    ズームレンズ（第１のレンズ）
９    フォトセンサ
１３  フォーカスレンズ（第２のレンズ）
１４  フォトセンサ